(57)【特許請求の範囲】
【請求項１】
現像に用いるトナーを収容する複数の現像ハウジングと、
上記現像ハウジング内のトナー量を検出するトナー量検出装置と、
画像形成装置に着脱可能とされ、上記現像ハウジングに補給するためのトナーを収容し、画像形成装置に装着された状態において、上記現像ハウジング内のトナーの消費に応じて上記現像ハウジングへトナーを適宜補給する複数のトナーカートリッジと、
上記トナー量検出装置により検出されるトナー量が所定量未満であるとき、上記トナーカートリッジがトナーエンプティ状態にあることを検出するエンプティ検出部と、
上記所定量未満となった上記現像ハウジング内のトナー量を回復させるために、上記トナーカートリッジから上記現像ハウジングへのトナー補給動作を行うトナー補給装置と、
上記エンプティ検出部によりトナーエンプティ状態が検出されたことを記憶するエンプティ記憶部と、
上記エンプティ検出部によりトナーエンプティ状態が検出されると、プリント動作を禁止するプリント禁止部と、
カラートナー用の上記トナーカートリッジがトナーエンプティ状態にあることがエンプティ検出部により検出されたときにモノクロモードでのみプリント動作を許可する暫定プリントモードを、オンまたはオフに設定する暫定プリントモード設定部と、
上記トナーエンプティ状態の検出以外の要因によってプリント動作不能となった後、上記要因を解消する復帰動作を行う際に、上記暫定プリントモードがオンとオフのいずれに設定されているかを判断する暫定プリントモード判断部と、
上記トナーエンプティ状態の検出以外の要因によってプリント動作不能となった後、上記要因を解消する復帰動作を行う際に、上記カラートナー用の上記トナーカートリッジのトナーエンプティ状態が検出されたことが上記エンプティ記憶部により記憶されている場合、上記トナー補給動作を制御するトナー補給制御部と、を含み、
上記トナー補給制御部は、
上記暫定プリントモードがオンに設定されている場合、上記トナー補給装置によるトナー補給動作を行わず、
上記暫定プリントモードがオフに設定されている場合、上記トナー補給装置によるトナー補給動作を行うように制御することを特徴とする画像形成装置。
【請求項２】
現像に用いるトナーを収容する複数の現像ハウジングと、
上記現像ハウジング内のトナー量を検出するトナー量検出装置と、
画像形成装置に着脱可能とされ、上記現像ハウジングに補給するためのトナーを収容し、画像形成装置に装着された状態において、上記現像ハウジング内のトナーの消費に応じて上記現像ハウジングへトナーを適宜補給する複数のトナーカートリッジと、
上記トナー量検出装置により検出されるトナー量が所定量未満であるとき、上記トナーカートリッジがトナーエンプティ状態にあることを検出するエンプティ検出部と、
上記所定量未満となった上記現像ハウジング内のトナー量を回復させるために、上記トナーカートリッジから上記現像ハウジングへのトナー補給動作を行うトナー補給装置と、
上記エンプティ検出部によりトナーエンプティ状態が検出されたことを記憶するエンプティ記憶部と、
上記エンプティ検出部によりトナーエンプティ状態が検出されると、プリント動作を禁止するプリント禁止部と、
カラートナー用の上記トナーカートリッジがトナーエンプティ状態にあることがエンプティ検出部により検出されたときにモノクロモードでのみプリント動作を許可する暫定プリントモードを、オンまたはオフに設定する暫定プリントモード設定部と、
上記トナーエンプティ状態の検出以外の要因によってプリント動作不能となった後、上記要因を解消する復帰動作を行う際に、上記暫定プリントモードがオンとオフのいずれに設定されているかを判断する暫定プリントモード判断部と、
上記トナーエンプティ状態の検出以外の要因によってプリント動作不能となった後、上記要因を解消する復帰動作を行う際、上記プリント動作不能な状態となったときから上記復帰動作が行われるまでの間に上記トナーカートリッジが脱着されたか否かを判断する脱着判断部と、
上記復帰動作の際に、上記カラートナー用の上記トナーカートリッジのトナーエンプティ状態が検出されたことが上記エンプティ記憶部により記憶されている場合、上記トナー補給動作を制御するトナー補給制御部と、を含み、
上記トナー補給制御部は、
上記暫定プリントモードがオンに設定されている場合、上記トナー補給装置によるトナー補給動作を行わず、
上記暫定プリントモードがオフに設定されている場合、上記脱着判断部により上記トナーカートリッジが脱着されたと判断されると、上記トナー補給装置によるトナー補給動作を行い、上記脱着判断部により上記トナーカートリッジが脱着されていないと判断されると、上記トナー補給装置によるトナー補給動作を行わないように制御することを特徴とする画像形成装置。
【請求項３】
上記脱着判断部は、上記復帰動作が、上記トナーカートリッジが脱着されたと推定させる第１の復帰動作と、上記トナーカートリッジが脱着されていないと推定させる第２の復帰動作とのうち、いずれの動作であるかを判断する復帰動作判断部を含むことを特徴とする請求項２に記載の画像形成装置。
【請求項４】
画像形成装置に装着された上記トナーカートリッジの識別情報を取得する識別情報取得部と、
上記識別情報取得部により取得した上記識別情報を記憶する識別情報記憶部と、を含み、
上記脱着判断部は、画像形成装置に装着中の上記カートリッジの識別情報が、上記識別情報記憶部に記憶された識別情報に一致するか否かを判断する識別情報同一性判断部を含むことを特徴とする請求項２または３に記載の画像形成装置。
【請求項５】
上記第１の復帰動作は、主電源がオンにされる動作と、前扉が閉じられる動作とを含み、
上記第２の復帰動作は、副電源がオンにされる動作と、省電力状態が解除される動作とを含むことを特徴とする請求項３または４に記載の画像形成装置。
【請求項６】
上記現像ハウジングは、トナーとキャリアからなる二成分現像剤を含み、
上記トナー量検出装置は、キャリア量（Ｎ）に対するトナー量（Ｍ）の比率（Ｍ／Ｎ）を検出し、
上記エンプティ検出部は、上記トナー量検出装置により所定量未満の上記比率（Ｍ／Ｎ）が検出されることで、上記トナーカートリッジがトナーエンプティ状態にあることを検出することを特徴とする請求項１〜５のいずれかに記載の画像形成装置。
【請求項７】
現像ハウジング内のトナーの消費に応じて、トナーカートリッジから上記現像ハウジングへトナーを適宜補給する工程と、
上記現像ハウジング内のトナー量が所定量未満であるか否かを検出することで、上記トナーカートリッジがトナーエンプティ状態であるか否かを検出するエンプティ検出工程と、
上記エンプティ検出工程においてトナーエンプティ状態が検出されたときに、トナーエンプティ状態が検出されたことを記憶するエンプティ記憶工程と、
上記エンプティ検出工程においてトナーエンプティ状態が検出されたときに、プリント動作を禁止するプリント禁止工程と、
上記エンプティ検出工程においてカラートナー用の上記トナーカートリッジがトナーエンプティ状態にあることが検出されたときにモノクロモードでのみプリント動作を許可する暫定プリントモードを、オンまたはオフに設定する暫定プリントモード設定工程と、
上記トナーエンプティ状態の検出以外の要因によってプリント動作不能となった後、上記要因を解消する復帰動作を行う復帰工程と、
上記復帰動作の際、上記暫定プリントモードがオンとオフのいずれに設定されているかを判断する暫定プリントモード判断工程と、
トナーエンプティ状態が検出されたことが記憶された状態で上記復帰動作が行われる場合、上記暫定プリントモード判断工程の後に、上記所定量未満となった上記現像ハウジング内のトナー量を回復させるための上記トナーカートリッジから上記現像ハウジングへのトナー補給動作を制御するトナー補給制御工程と、を含み、
上記暫定プリントモードがオンに設定されている場合、上記トナー補給制御工程において上記トナー補給動作を行わず、
上記暫定プリントモードがオフに設定されている場合、上記トナー補給制御工程において上記トナー補給動作を行うことを特徴とする画像形成方法。
【請求項８】
現像ハウジング内のトナーの消費に応じて、トナーカートリッジから上記現像ハウジングへトナーを適宜補給する工程と、
上記現像ハウジング内のトナー量が所定量未満であるか否かを検出することで、上記トナーカートリッジがトナーエンプティ状態であるか否かを検出するエンプティ検出工程と、
上記エンプティ検出工程においてトナーエンプティ状態が検出されたときに、トナーエンプティ状態が検出されたことを記憶するエンプティ記憶工程と、
上記エンプティ検出工程においてトナーエンプティ状態が検出されたときに、プリント動作を禁止するプリント禁止工程と、
上記エンプティ検出工程においてカラートナー用の上記トナーカートリッジがトナーエンプティ状態にあることが検出されたときにモノクロモードでのみプリント動作を許可する暫定プリントモードを、オンまたはオフに設定する暫定プリントモード設定工程と、
上記トナーエンプティ状態の検出以外の要因によってプリント動作不能となった後、上記要因を解消する復帰動作を行う復帰工程と、
上記復帰動作の際、上記暫定プリントモードがオンとオフのいずれに設定されているかを判断する暫定プリントモード判断工程と、
上記トナーエンプティ状態の検出以外の要因によってプリント動作不能となった後、上記要因を解消する復帰動作を行う際、上記プリント動作不能な状態となったときから上記復帰動作が行われるまでの間に上記トナーカートリッジが脱着されたか否かを判断する脱着判断工程と、
トナーエンプティ状態が検出されたことが記憶された状態で上記復帰動作が行われる場合、上記暫定プリントモード判断工程および上記脱着判断工程の後に、上記所定量未満となった上記現像ハウジング内のトナー量を回復させるための上記トナーカートリッジから上記現像ハウジングへのトナー補給動作を制御するトナー補給制御工程と、を含み、
上記暫定プリントモードがオンに設定されている場合、上記トナー補給制御工程においてトナー補給動作を行わず、
上記暫定プリントモードがオフに設定されている場合、上記脱着判断工程において上記トナーカートリッジが脱着されたと判断されると、上記トナー補給制御工程において上記トナー補給動作を行い、上記脱着判断工程において上記トナーカートリッジが脱着されていないと判断されると、上記トナー補給制御工程において上記トナー補給動作を行わないことを特徴とする画像形成方法。
【請求項９】
上記脱着判断工程は、上記復帰工程における上記復帰動作が第１の復帰動作または第２の復帰動作のいずれであるかを判断する復帰動作判断工程を含み、
上記第１の復帰動作は、上記プリント動作不能な状態となったときから上記復帰動作が行われるまでの間に上記トナーカートリッジが脱着されたと推定させる動作であり、
上記第２の復帰動作は、上記プリント動作不能な状態となったときから上記復帰動作が行われるまでの間に上記トナーカートリッジが脱着されていないと推定させる動作であることを特徴とする請求項８に記載の画像形成方法。
【請求項１０】
上記第１の復帰動作は、主電源がオンにされる動作と、前扉が閉じられる動作とを含み、
上記第２の復帰動作は、副電源がオンにされる動作と、省電力状態が解除される動作とを含むことを特徴とする請求項９に記載の画像形成方法。
【請求項１１】
画像形成装置に装着されたトナーカートリッジの識別情報を記憶する識別情報記憶工程と、
上記復帰工程の後に、画像形成装置に装着中のトナーカートリッジの識別情報が、上記識別情報記憶工程で記憶した上記識別情報と一致するか否かを判断する同一性判断工程と、を含み、
上記脱着判断工程は、上記同一性判断工程を含むことを特徴とする請求項８〜１０のいずれかに記載の画像形成方法。
【発明の詳細な説明】
【技術分野】
【０００１】
本発明は、電子写真方式の画像形成装置および画像形成方法に関し、特に、複写機、プリンタ、ファクシミリ又はこれらの機能を複合的に備えた複合機等の画像形成装置、及びこれらの装置を用いて画像を形成する方法に関する。
【背景技術】
【０００２】
着脱可能なトナーカートリッジを備えた画像形成装置に関して、トナーカートリッジ内のトナーが全て消費されたこと（以下、「トナーエンプティ状態」という。）が検知されると、プリント動作を禁止する技術が提案されている。
【０００３】
かかる技術を採用した画像形成装置において、トナーエンプティ状態が検出されたことは、装置の制御部に記憶される。トナーエンプティ状態の検出が記憶された状態で、ユーザーが、装置の前扉を開けてトナーカートリッジを交換し、交換後に前扉を閉じると、画像形成装置に設けられたトナー補給装置により、トナーカートリッジから現像装置へのトナー補給動作が行われる（特許文献１参照）。トナー補給動作が正常に行われ、現像装置に所要量のトナーが補給されると、プリント動作の禁止が解除され、通常通りプリントすることが可能となる。
【０００４】
一方、トナーエンプティ状態が検知された後、トナーカートリッジが交換されることなく省電力状態となったり電源がオフにされたりした場合は、その後に復帰動作が行われたとき、すなわち、省電力状態が解除されたり電源がオンにされたりしたとき、前扉が閉じられたときと同様のトナー補給動作が行われる。この場合、復帰動作の前にトナーカートリッジが交換されていれば、トナー補給動作が正常に行われる。
【０００５】
ところで、カラー画像形成装置では、暫定プリントモードというモードを設ける技術が提案されている。暫定プリントモードとは、カラートナー（例えば、イエロートナー、マゼンタトナー、シアントナー）を収容するトナーカートリッジがトナーエンプティ状態となった場合でも、モノクロモードでのみプリント動作を暫定的に許可するモードをいう。一般的に、モノクロモードはカラーモードよりも使用頻度が高いため、暫定プリントモードをオンに設定することで、カラートナーがトナーエンプティ状態となってもモノクロモードでプリント可能となり、利便性が向上する。
【特許文献１】特開平１１−２３７７８５号公報
【発明の開示】
【発明が解決しようとする課題】
【０００６】
しかしながら、上記の暫定プリントモードをオンに設定すると、カラートナーがトナーエンプティ状態であっても使用できるため、トナーエンプティ状態となったトナーカートリッジが交換されずに放置された状態で、省電力状態となったり、電源がオフにされたりすることがある。
【０００７】
トナーカートリッジが交換されないまま省電力状態となったり電源がオフにされたりした場合、その後の復帰動作の前にトナーカートリッジが交換されていなければ、復帰動作後のトナー補給動作の際、トナーカートリッジから現像装置へ所要量のトナーが補給されない。こうしたトナー補給動作の異常が繰り返し検知されると、トナー補給装置は正常であるにも関わらず、トナー補給装置の異常が誤検出されてしまう。また、この場合、トナー補給動作が行われている間、プリント動作を行うことができないため、ユーザーの待ち時間が長くなってしまう。
【０００８】
そこで、本発明は、トナーカートリッジがトナーエンプティ状態にあることが検出された後の復帰動作の際、トナーカートリッジから現像装置へのトナー補給動作を行うトナー補給装置の異常が誤検出されることを防止でき、ユーザーの待ち時間を短縮できる画像形成装置および画像形成方法を提供することを目的とする。
【課題を解決するための手段】
【０００９】
上記課題を解決するため、本発明に係る画像形成装置は、
現像に用いるトナーを収容する複数の現像ハウジングと、
上記現像ハウジング内のトナー量を検出するトナー量検出装置と、
画像形成装置に着脱可能とされ、上記現像ハウジングに補給するためのトナーを収容し、画像形成装置に装着された状態において、上記現像ハウジング内のトナーの消費に応じて上記現像ハウジングへトナーを適宜補給する複数のトナーカートリッジと、
上記トナー量検出装置により検出されるトナー量が所定量未満であるとき、上記トナーカートリッジがトナーエンプティ状態にあることを検出するエンプティ検出部と、
上記所定量未満となった上記現像ハウジング内のトナー量を回復させるために、上記トナーカートリッジから上記現像ハウジングへのトナー補給動作を行うトナー補給装置と、
上記エンプティ検出部によりトナーエンプティ状態が検出されたことを記憶するエンプティ記憶部と、
上記エンプティ検出部によりトナーエンプティ状態が検出されると、プリント動作を禁止するプリント禁止部と、
カラートナー用の上記トナーカートリッジがトナーエンプティ状態にあることがエンプティ検出部により検出されたときにモノクロモードでのみプリント動作を許可する暫定プリントモードを、オンまたはオフに設定する暫定プリントモード設定部と、
上記トナーエンプティ状態の検出以外の要因によってプリント動作不能となった後、上記要因を解消する復帰動作を行う際に、上記暫定プリントモードがオンとオフのいずれに設定されているかを判断する暫定プリントモード判断部と、
上記トナーエンプティ状態の検出以外の要因によってプリント動作不能となった後、上記要因を解消する復帰動作を行う際に、上記カラートナー用の上記トナーカートリッジのトナーエンプティ状態が検出されたことが上記エンプティ記憶部により記憶されている場合、上記トナー補給動作を制御するトナー補給制御部と、を含み、
上記トナー補給制御部は、
上記暫定プリントモードがオンに設定されている場合、上記トナー補給装置によるトナー補給動作を行わず、
上記暫定プリントモードがオフに設定されている場合、上記トナー補給装置によるトナー補給動作を行うように制御することを特徴とする。
【００１０】
本発明の別の態様に係る画像形成装置は、
現像に用いるトナーを収容する複数の現像ハウジングと、
上記現像ハウジング内のトナー量を検出するトナー量検出装置と、
画像形成装置に着脱可能とされ、上記現像ハウジングに補給するためのトナーを収容し、画像形成装置に装着された状態において、上記現像ハウジング内のトナーの消費に応じて上記現像ハウジングへトナーを適宜補給する複数のトナーカートリッジと、
上記トナー量検出装置により検出されるトナー量が所定量未満であるとき、上記トナーカートリッジがトナーエンプティ状態にあることを検出するエンプティ検出部と、
上記所定量未満となった上記現像ハウジング内のトナー量を回復させるために、上記トナーカートリッジから上記現像ハウジングへのトナー補給動作を行うトナー補給装置と、
上記エンプティ検出部によりトナーエンプティ状態が検出されたことを記憶するエンプティ記憶部と、
上記エンプティ検出部によりトナーエンプティ状態が検出されると、プリント動作を禁止するプリント禁止部と、
カラートナー用の上記トナーカートリッジがトナーエンプティ状態にあることがエンプティ検出部により検出されたときにモノクロモードでのみプリント動作を許可する暫定プリントモードを、オンまたはオフに設定する暫定プリントモード設定部と、
上記トナーエンプティ状態の検出以外の要因によってプリント動作不能となった後、上記要因を解消する復帰動作を行う際に、上記暫定プリントモードがオンとオフのいずれに設定されているかを判断する暫定プリントモード判断部と、
上記トナーエンプティ状態の検出以外の要因によってプリント動作不能となった後、上記要因を解消する復帰動作を行う際、上記プリント動作不能な状態となったときから上記復帰動作が行われるまでの間に上記トナーカートリッジが脱着されたか否かを判断する脱着判断部と、
上記復帰動作の際に、上記カラートナー用の上記トナーカートリッジのトナーエンプティ状態が検出されたことが上記エンプティ記憶部により記憶されている場合、上記トナー補給動作を制御するトナー補給制御部と、を含み、
上記トナー補給制御部は、
上記暫定プリントモードがオンに設定されている場合、上記トナー補給装置によるトナー補給動作を行わず、
上記暫定プリントモードがオフに設定されている場合、上記脱着判断部により上記トナーカートリッジが脱着されたと判断されると、上記トナー補給装置によるトナー補給動作を行い、上記脱着判断部により上記トナーカートリッジが脱着されていないと判断されると、上記トナー補給装置によるトナー補給動作を行わないように制御することを特徴とする。
【００１１】
本発明に係る画像形成方法は、
現像ハウジング内のトナーの消費に応じて、トナーカートリッジから上記現像ハウジングへトナーを適宜補給する工程と、
上記現像ハウジング内のトナー量が所定量未満であるか否かを検出することで、上記トナーカートリッジがトナーエンプティ状態であるか否かを検出するエンプティ検出工程と、
上記エンプティ検出工程においてトナーエンプティ状態が検出されたときに、トナーエンプティ状態が検出されたことを記憶するエンプティ記憶工程と、
上記エンプティ検出工程においてトナーエンプティ状態が検出されたときに、プリント動作を禁止するプリント禁止工程と、
上記エンプティ検出工程においてカラートナー用の上記トナーカートリッジがトナーエンプティ状態にあることが検出されたときにモノクロモードでのみプリント動作を許可する暫定プリントモードを、オンまたはオフに設定する暫定プリントモード設定工程と、
上記トナーエンプティ状態の検出以外の要因によってプリント動作不能となった後、上記要因を解消する復帰動作を行う復帰工程と、
上記復帰動作の際、上記暫定プリントモードがオンとオフのいずれに設定されているかを判断する暫定プリントモード判断工程と、
トナーエンプティ状態が検出されたことが記憶された状態で上記復帰動作が行われる場合、上記暫定プリントモード判断工程の後に、上記所定量未満となった上記現像ハウジング内のトナー量を回復させるための上記トナーカートリッジから上記現像ハウジングへのトナー補給動作を制御するトナー補給制御工程と、を含み、
上記暫定プリントモードがオンに設定されている場合、上記トナー補給制御工程において上記トナー補給動作を行わず、
上記暫定プリントモードがオフに設定されている場合、上記トナー補給制御工程において上記トナー補給動作を行うことを特徴とする。
【００１２】
本発明の別の態様に係る画像形成方法は、
現像ハウジング内のトナーの消費に応じて、トナーカートリッジから上記現像ハウジングへトナーを適宜補給する工程と、
上記現像ハウジング内のトナー量が所定量未満であるか否かを検出することで、上記トナーカートリッジがトナーエンプティ状態であるか否かを検出するエンプティ検出工程と、
上記エンプティ検出工程においてトナーエンプティ状態が検出されたときに、トナーエンプティ状態が検出されたことを記憶するエンプティ記憶工程と、
上記エンプティ検出工程においてトナーエンプティ状態が検出されたときに、プリント動作を禁止するプリント禁止工程と、
上記エンプティ検出工程においてカラートナー用の上記トナーカートリッジがトナーエンプティ状態にあることが検出されたときにモノクロモードでのみプリント動作を許可する暫定プリントモードを、オンまたはオフに設定する暫定プリントモード設定工程と、
上記トナーエンプティ状態の検出以外の要因によってプリント動作不能となった後、上記要因を解消する復帰動作を行う復帰工程と、
上記復帰動作の際、上記暫定プリントモードがオンとオフのいずれに設定されているかを判断する暫定プリントモード判断工程と、
上記トナーエンプティ状態の検出以外の要因によってプリント動作不能となった後、上記要因を解消する復帰動作を行う際、上記プリント動作不能な状態となったときから上記復帰動作が行われるまでの間に上記トナーカートリッジが脱着されたか否かを判断する脱着判断工程と、
トナーエンプティ状態が検出されたことが記憶された状態で上記復帰動作が行われる場合、上記暫定プリントモード判断工程および上記脱着判断工程の後に、上記所定量未満となった上記現像ハウジング内のトナー量を回復させるための上記トナーカートリッジから上記現像ハウジングへのトナー補給動作を制御するトナー補給制御工程と、を含み、
上記暫定プリントモードがオンに設定されている場合、上記トナー補給制御工程においてトナー補給動作を行わず、
上記暫定プリントモードがオフに設定されている場合、上記脱着判断工程において上記トナーカートリッジが脱着されたと判断されると、上記トナー補給制御工程において上記トナー補給動作を行い、上記脱着判断工程において上記トナーカートリッジが脱着されていないと判断されると、上記トナー補給制御工程において上記トナー補給動作を行わないことを特徴とする。
【発明の効果】
【００１３】
本発明によれば、トナーエンプティ状態が記憶された状態で復帰動作が行われる際、暫定プリントモードがオンに設定されている場合は、復帰動作後にトナー補給動作が行われないため、モノクロモードでのプリント動作を素早く行うことができ、ユーザーの待ち時間を短縮できる。
【００１４】
また、暫定プリントモードがオフに設定されている場合、トナーエンプティ状態が検出された時点でプリントできなくなるため、トナーカートリッジが交換されないまま放置される可能性が低い。そのため、暫定プリントモードがオフに設定されている場合はトナー補給動作が行われるように制御すると、そのトナー補給動作が正常に行われる可能性が高く、トナー補給装置の異常の誤検出を抑制できる。
【００１５】
さらに、暫定プリントモードがオフに設定されている場合であっても、復帰動作の前にトナーカートリッジが脱着されたか否かを判断して、トナーカートリッジが脱着されていないと判断されたときはトナー補給動作を行わないように制御すると、不要なトナー補給動作を省略して、ユーザーの待ち時間短縮に一層貢献できる。
【発明を実施するための最良の形態】
【００１６】
以下、添付図面を参照して本発明の好適な実施形態を説明する。なお、以下の説明では、特定の方向を意味する用語（例えば、「上」、「下」、「左」、「右」、およびそれらを含む他の用語、「時計回り方向」、「反時計回り方向」）を使用するが、それらの使用は図面を参照した発明の理解を容易にするためであって、それらの用語の意味によって本発明は限定的に解釈されるべきものでない。また、以下に説明する画像形成装置では、同一又は類似の構成部分には同一の符号を用いている。
【００１７】
図１は、本発明の一実施形態に係る画像形成装置２の概略構成を示す。画像形成装置２は、複写機、プリンタ、ファクシミリ、又はそれらの機能を複合的に備えた複合機等の電子写真方式の画像形成装置である。現在、電子写真方式の画像形成装置として種々の形態のものが提案されているが、図示する画像形成装置は所謂タンデム方式のカラー画像形成装置である。ただし、本発明は、この種の画像形成装置にのみ適用されるものではなく、例えば、所謂４サイクル方式、若しくは静電潜像担持体上のトナー像を記録シートに直接転写させる直接転写方式等のカラー画像形成装置にも等しく適用できる。
【００１８】
画像形成装置２は、無端状の中間転写ベルト３０を有する。中間転写ベルト３０の下には、図中左側から右側に向かって順に、イエロー（Ｙ）、マゼンタ（Ｍ）、シアン（Ｃ）、ブラック（Ｋ）の現像剤をそれぞれ用いて対応する色のトナー像を作成する４つの作像部３（３Ｙ，３Ｍ，３Ｃ，３Ｋ）が、中間転写ベルト３０に沿って配置されている。
【００１９】
各作像部３は、静電潜像担持体として円筒状の感光体４を有する。感光体４の周囲には、その回転方向（図中時計回り方向）に沿って順に、感光体４の外周面を帯電させる帯電装置８、感光体４上に画像を投射して各色の静電潜像を形成するための露光装置１０、各色のトナーを感光体４に供給して静電潜像を顕在化させる現像装置１８、感光体４と共に中間転写ベルト３０を挟圧する一次転写ローラ１４、および感光体４上のトナーを掻き取るための感光体クリーニング装置１６が配置されている。
【００２０】
上記のように現像を行う現像装置１８は、現像に用いるトナーを収容する現像ハウジング２２を有する。実施形態では、トナーとキャリアからなる二成分現像剤が用いられるため、現像ハウジング２２には、トナーに加えてキャリアが収容されている。ただし、本発明は、トナーのみからなる一成分現像剤を使用する構成にも適用可能である。
【００２１】
現像ハウジング２２に収容されたトナーは、現像に伴い消費される。一方、現像ハウジング２２に収容されたキャリアは、現像によりほとんど消費されない。
【００２２】
現像ハウジング２２にトナーを補給するため、画像形成装置２の例えば上部に、トナーを収容したトナーカートリッジ２８が設けられており、現像ハウジング２２内のトナーの消費に応じて、トナーカートリッジ２８から現像ハウジング２２へトナーが適宜補給されるようにしてある。これにより、現像ハウジング２２内において、キャリア量（Ｎ）に対するトナー量（Ｍ）の比率（Ｍ／Ｎ）をほぼ所定の値に維持する。トナーカートリッジ２８は画像形成装置２に着脱可能とされ、トナーカートリッジ２８がトナーエンプティ状態になると、新しいトナーカートリッジ２８に交換される。図９に示すように、トナーカートリッジ２８は、画像形成装置２へ装着された状態において装置２の前面側に配置される前方部２６と、前方部２６から後方へ伸びる後方部２５とを有し、前方部２６の裏面に不揮発性メモリ２７が設けられている。不揮発性メモリ２７は、種々の情報を記憶するカートリッジ記憶部として機能する。不揮発性メモリ２７に記憶された情報には、トナーカートリッジ２８の識別情報が含まれる。
【００２３】
画像形成装置２は、その前面に図示しない前扉を有し、前扉を開くことで装置２の前面を開放可能となっている。トナーカートリッジ２８の交換作業は、画像形成装置２の前扉を開いたときに行うことができる。画像形成装置２は、前扉の開閉を検知するためのスイッチ等の開閉センサを有する。
【００２４】
画像形成装置２は、その一方の側面（実施形態では右側面）に横扉を有する。実施形態において、横扉は両面ユニット４８を含む。横扉は、ジャム処理を行うために開閉される。画像形成装置２は、横扉の開閉を検知するためのスイッチ等の開閉センサを有する。
【００２５】
図１に戻って、各作像部３において、感光体４上に形成されたトナー像は、感光体４とベルト３０とのニップ部（一次転写領域）において感光体４からベルト３０へ転写（一次転写）される。一次転写の際、イエロー、マゼンタ、シアン、ブラックのトナー像はベルト３０上に重ねられ、これによりフルカラーのトナー像が形成される。
【００２６】
図中右側に配置されているローラ３２に支持されているベルト部分の外側には、ベルト３０と共に記録シート３６を挟圧する二次転写ローラ４０が設けてある。二次転写ローラ４０とベルト３０とのニップ部（二次転写領域４１）には、給紙部４２，４４，４６または両面ユニット４８から記録シート３６が搬送されるようにしてある。二次転写領域４１では、ベルト３０上のトナー像が記録シート３６に転写（二次転写）される。
【００２７】
二次転写後、記録シート３６は定着部５０に搬送され、定着部５０において、トナー像が記録シート３６に定着される。定着後、記録シート３６は、画像形成装置２の例えば上部に設けられた排紙部５２に搬送される。
【００２８】
図２に示すように、画像形成装置２は、機械的な動作を行うエンジン部６２を有し、エンジン部６２の動作はエンジン制御部６４により制御される。
【００２９】
エンジン制御部６４は、相互に接続されたＣＰＵ６６、ＲＯＭ７０、ＲＡＭ７２、インターフェース７４および拡張Ｉ／Ｏ７６と、拡張Ｉ／Ｏ７６に接続された不揮発性メモリ６８とを有する。不揮発性メモリ６８は、後述のエンプティ記憶部９６および識別情報記憶部１０４として機能する。
【００３０】
インターフェース７４には全体制御部６０が接続されている。全体制御部６０は、エンジン部６２の他に、図示しないスキャナやフィニッシャなどの付属機器または外部機器等に接続され、画像形成装置２を全体的に制御する。
【００３１】
拡張Ｉ／Ｏ７６には、を検知するトナー濃度センサ８０（８０Ｙ，８０Ｍ，８０Ｃ，８０Ｋ）、トナー補給装置８２、およびトナーカートリッジ２８の不揮発性メモリ２７が接続されている。
【００３２】
トナー濃度センサ８０は、現像ハウジング２２内に設けられており、現像ハウジング２２内部のトナー濃度、すなわち、キャリア量（Ｎ）に対するトナー量（Ｍ）の比率（Ｍ／Ｎ）を検知するセンサである。好ましくは、トナー濃度センサ８０として、現像剤の透磁率を検知することでキャリア量（Ｎ）に対するトナー量（Ｍ）の比率（Ｍ／Ｎ）を検知するように構成された磁気センサが用いられる。現像ハウジング２２内において、キャリア量（Ｎ）は略一定であるため、キャリア量（Ｎ）に対するトナー量（Ｍ）の比率（Ｍ／Ｎ）は、トナー量（Ｍ）に概ね比例する。そのため、トナー濃度センサ８０は、現像ハウジング２２内のトナー量を検出するトナー量検出装置として機能する。
【００３３】
トナー補給装置８２は、トナーカートリッジ２８から現像ハウジング２２へトナーを補給するための装置である。トナーカートリッジ２８に所要量のトナーがある場合、トナー補給装置８２は、トナー濃度センサ８０により検知されるトナー量が所定量未満であるときに作動するように制御され、これによりトナーカートリッジ２８から現像ハウジング２２へトナーが補給された後、トナー濃度センサ８０が所定量以上のトナー量を検知すると、トナー補給装置８２によるトナー補給が停止される。また、トナー濃度センサ８０により検知されるトナー量が所定量未満であり、トナー補給装置８２を所定時間作動させてもトナー濃度センサ８０が所定量以上のトナー量を検知しないとき、トナーカートリッジ２８がトナーエンプティ状態であると判断される。一方、トナーカートリッジ２８がトナーエンプティ状態である場合、トナー補給装置８２は、所定量未満となった現像ハウジング２２内のトナー量を回復させるために、トナーカートリッジ２８から現像ハウジング２２へのトナー補給動作を行うように制御される。このトナー補給動作は、後述のトナー補給制御部１１２により行われる。
【００３４】
図３は、エンジン制御部６４および全体制御部６０の構成を説明するための図である。図３に示すように、エンジン制御部６４は、トナー濃度センサ８０により検知されるトナー量、具体的には、キャリア量（Ｎ）に対するトナー量（Ｍ）の比率（Ｍ／Ｎ）が所定量未満であるとき、トナーカートリッジ２８のトナーエンプティ状態を検出するエンプティ検出部９４を有する。エンプティ検出部９４によりトナーエンプティ状態が検出されると、トナーエンプティ状態が検出されたことがエンプティ記憶部９６に記憶される。また、エンプティ検出部９４によりトナーエンプティ状態が検出されると、プリント禁止部９８によりプリント動作が禁止される。これにより、トナー不足のままプリント動作が行われることを防止できる。トナーカートリッジ２８の交換後、トナー補給装置８２によるトナー補給動作が行われると、プリント禁止部９８によるプリント動作の禁止は解除される。
【００３５】
なお、トナーカートリッジ２８の交換は、後述の識別情報同一性判断部によりトナーカートリッジ２８の識別情報が変化したと判断されることで検出される。ただし、トナーカートリッジ２８の交換は、その他の方法で検出してもよく、例えば、カートリッジ２８の着脱操作を検知することで検出したり、画像形成により得られる画像濃度の濃さに基づき検出したりしてもよい。
【００３６】
エンジン制御部６４はまた、識別情報取得部１０２と、識別情報記憶部１０４を含む。識別情報取得部１０２は、画像形成装置２に装着されたトナーカートリッジ２８の不揮発性メモリ（カートリッジ記憶部）２７から送信される信号に基づき、不揮発性メモリ２７に記憶された識別情報を取得する。識別情報記憶部１０４は、識別情報取得部１０２により取得された識別情報を記憶する。
【００３７】
エンジン制御部６４はまた、暫定プリントモードをオンまたはオフに設定する暫定プリントモード設定部１１６と、暫定プリントモードがオンとオフのいずれに設定されているかを判断する暫定プリントモード判断部１１８とを有する。暫定プリントモードがオンに設定されている場合、カラートナー（具体的にはイエロートナー、マゼンタトナーまたはシアントナー）用のトナーカートリッジ２８のトナーエンプティ状態がエンプティ検出部９４により検出されたとき、モノクロモードでのみプリント動作が許可される。暫定プリントモードの設定は、種々の方法により切り替え可能であるが、例えばユーザーの操作により切り替えられる。
【００３８】
エンジン制御部６４はさらに、復帰情報取得部１００、脱着判断部１０６（復帰動作判断部１０８と識別情報同一性判断部１１０を含む。）、トナー補給制御部１１２、およびトナー補給エラー検出部１１４を含むが、これらの構成については、図４〜図８に示す制御の構成と併せて後に説明する。
【００３９】
一方、全体制御部６０は、画像形成装置２の全体または一部への電力供給を制御する電力制御部９０と、電力制御部９０から送信される信号に基づき、復帰動作を具体的に判別する具体的復帰動作判別部９２とを含むが、これらの構成については、図６に示す制御の構成と併せて後に説明する。
【００４０】
一般的に、トナーエンプティ状態が検出されると、プリント禁止部９８によりプリント動作が禁止されるため、プリントを行いたいユーザーによりトナーカートリッジ２８が交換され、トナーエンプティ状態が解除される。しかし、暫定プリントモード設定部１１６により暫定プリントモードがオンに設定されている場合、または、新品のトナーカートリッジ２８をすぐに用意できない場合などは、トナーカートリッジ２８が交換されず、トナーエンプティ状態が解除されないまま、主電源または副電源がオフにされたり、省電力状態へ切り替えられたりすることがある。
【００４１】
主電源がオフにされると、エンジン制御部６４のＣＰＵ６６と全体制御部６０のＣＰＵがいずれも停止する。一方、副電源がオフにされると、エンジン制御部６４のＣＰＵ６６は停止するが、全体制御部６８のＣＰＵは停止しない。また、省電力状態としては、エンジン制御部６４のＣＰＵ６６への電力供給が絶たれてエンジン制御部６４の制御機能が停止し、定着装置５０がオフになった状態のものと、エンジン制御部６４のＣＰＵ６６は機能しており、定着装置５０の設定温度が下げられた状態のものとがある。
【００４２】
装置２の前扉または横扉の開閉は、エンジン制御部６４のＣＰＵ６６で検出されるため、主電源または副電源がオフにされたり、省電力状態へ切り替えられたりすることにより、エンジン制御部６４のＣＰＵ６６が停止すると、装置２の前扉または横扉の開閉の有無を判定できなくなる。そのため、上記のようにトナーエンプティ状態が検出されたことがエンプティ記憶部９６により記憶された状態で、トナーエンプティ状態の検出以外の要因（主電源オフ、副電源オフ、省電力状態への切り替え、又は前扉を開くこと等）によってプリント動作不能となった後、上記要因を解消する復帰動作（主電源オン、副電源オン、省電力状態の解除、又は前扉を閉じること等）が行われる際、前扉の開閉が検出されていなくても、実際には前扉が開閉されてトナーカートリッジ２８が交換された可能性がある。
【００４３】
したがって、従来の制御方法では、暫定プリントモードの設定に関わらず、復帰動作の直後にトナー補給動作が行われる。しかし、暫定プリントモードがオンに設定されている場合、ユーザーは、モノクロモードでのプリント動作が素早く行われることを希望しているにも拘わらず、トナー補給動作が終了するまでプリント動作の開始を待たなければならない。しかも、復帰動作の前にトナーカートリッジ２８が交換されていない場合、トナー補給動作を行っても、現像ハウジング２２にトナーが補給されないため、トナー補給のエラーが検出され、トナー補給のエラーが繰り返し検出されると、トナー補給装置８２の異常が誤検出されてしまう。
【００４４】
このような問題に鑑みて、本発明では、トナー補給制御部１１２によりトナー補給動作が以下のように制御される。
【００４５】
［第１の実施形態］
図４を参照しながら、第１の実施形態に係るトナー補給制御について説明する。図４は、トナーエンプティ状態が検出されたことがエンプティ記憶部９６により記憶された状態で上記復帰動作（主電源オン、副電源オン、省電力状態の解除、又は前扉を閉じること等）が行われた後、トナー補給制御部１１２で行われる制御の各処理の流れを示すフローチャートである。図４に示すトナー補給制御は、カラートナー（イエロートナー、マゼンタトナーまたはシアントナー）の現像装置１８に対してのみ行われ、ブラックトナーの現像装置に対しては行われない。
【００４６】
図４に示すように、まずステップＳ１１では、暫定プリントモード判断部１１８により、暫定プリントモードがオンに設定されているか否かが判断される。ステップＳ１１において、暫定プリントモードがオフに設定されていると判断されるとステップＳ１２に進み、暫定プリントモードがオンに設定されていると判断されると処理が終了する。
【００４７】
ステップＳ１２では、トナー補給装置８２によりトナー補給動作が行われ、トナーカートリッジ２８内に所要量のトナーが収容されていれば、トナーカートリッジ２８から現像ハウジング２２へトナーが補給され、現像ハウジング２２内において、キャリア量（Ｎ）に対するトナー量（Ｍ）の比率（Ｍ／Ｎ）が回復する。
【００４８】
次のステップＳ１３では、トナー補給エラー検出部１１４により、ステップＳ１２のトナー補給動作において、トナーの補給が正常に行われたか否かが判断される。具体的には、トナー濃度センサ８０により、現像ハウジング２２内におけるキャリア量（Ｎ）に対するトナー量（Ｍ）の比率（Ｍ／Ｎ）を検知して、この比率（Ｍ／Ｎ）が所定量以上に達したか否かにより判断される。ステップＳ１３において、トナーの補給が正常に行われたと判断されるとステップＳ１４に進み、トナーの補給が正常に行われなかったと判断されると、ステップＳ１５に進む。
【００４９】
ステップＳ１４では、ステップＳ１２のトナー補給動作が正常に行われたことにより、トナーエンプティ状態が解除されているため、エンプティ記憶部９６においてトナーエンプティ状態の記憶が消去されて、処理が終了する。
【００５０】
ステップＳ１５では、ステップＳ１２のトナー補給動作が正常に行われなかったため、トナー補給装置８２の異常が検出されて、処理が終了する。なお、本実施形態では、ステップＳ１３においてトナー補給が正常でないと一度判断されただけで、トナー補給装置８２のエラーが検出されるが、ステップＳ１３と同様の処理を複数回連続で行い、それら全ての処理においてトナー補給が正常でないと判断されたときに、トナー補給装置８２の異常を検出するようにしてもよい。
【００５１】
このように、第１の実施形態では、ステップＳ１１において暫定プリントモードがオフに設定されていると判断されたときのみ、ステップＳ１２以降のトナー補給動作等の処理が行われる。そのため、暫定プリントモードがオンに設定されているときは、トナー補給動作等の処理が行われず、ユーザーの希望通り、モノクロモードでのプリント動作を素早く行うことができる。
【００５２】
また、暫定プリントモードがオフに設定されている場合、トナーエンプティ状態が検出された時点でプリントできなくなるため、トナーカートリッジ２８が交換されないまま放置される可能性が低い。そのため、復帰動作後、トナー補給動作が正常に行われる可能性が高く、トナー補給装置８２の異常の誤検出を抑制できる。
【００５３】
［第２の実施形態］
図５を参照しながら、第２の実施形態に係るトナー補給制御について説明する。図５に示す制御は、第１の実施形態（図４）と同様、トナーエンプティ状態が検出されたことがエンプティ記憶部９６により記憶された状態で復帰動作が行われた後、トナー補給制御部１１２で行われる制御である。図５に示すトナー補給制御は、カラートナー（イエロートナー、マゼンタトナーまたはシアントナー）の現像装置１８に対してのみ行われ、ブラックトナーの現像装置に対しては行われない。
【００５４】
図５に示すように、まずステップＳ２１では、図４のステップＳ１１と同様、暫定プリントモード判断部１１８により、暫定プリントモードがオンに設定されているか否かが判断される。ステップＳ２１において、暫定プリントモードがオフに設定されていると判断されるとステップＳ２２に進み、暫定プリントモードがオンに設定されていると判断されると処理が終了する。
【００５５】
ステップＳ２２では、全体制御部６０の電力制御部９０から具体的復帰動作判別部９２を経由して送信される信号と、エンジン制御部６４の内部の信号とに基づき、復帰動作の情報が復帰情報取得部１００により取得される。全体制御部６０において復帰動作を具体的に判別する制御については、後に図６を参照しながら説明する。復帰動作のうち、全体制御部６０の動作としては、例えば、主電源オンの動作、副電源オンの動作、または省電力状態（エンジン部６２がオフ）を解除する動作が挙げられ、エンジン制御部６４の動作としては、例えば、前扉が閉じられる動作、（紙詰まり発生時等に開閉される）横扉が閉じられる動作、または省電力状態（エンジン部６２がオン）を解除する動作等が挙げられる。なお、省電力状態に関して、本明細書で言う「エンジン部６２がオフ」の状態とは、エンジン制御部６４のＣＰＵ６６への電力供給が絶たれてエンジン制御部６４の制御機能が停止し、定着装置５０がオフになった状態を意味し、「エンジン部６２オン」の状態とは、エンジン制御部６４のＣＰＵ６６は機能しており、定着装置５０の設定温度が下げられた状態を意味する。
【００５６】
次のステップＳ２３では、脱着判断部１０６の復帰動作判断部１０８により、ステップＳ２２で取得された情報に基づき、復帰動作が第１の復帰動作、第２の復帰動作または第３の復帰動作のいずれであるかが判断される。
【００５７】
ここで、第１の復帰動作とは、トナーエンプティ状態の検出以外の要因（主電源オフ、副電源オフ、省電力状態への切り替え、又は前扉を開くこと等）によってプリント動作不能となったときから復帰動作が行われるまでの間にトナーカートリッジ２８が脱着されたと推定させる動作を指す。具体的に、第１の復帰動作は、例えば、主電源がオンにされる動作と、前扉が閉じられる動作とを含む。また、第２の復帰動作とは、トナーエンプティ状態の検出以外の要因によってプリント動作不能となったときから復帰動作が行われるまでの間にトナーカートリッジ２８が脱着されていないと推定させる動作を指す。具体的に、第２の復帰動作は、例えば、副電源がオンにされる動作と、省電力状態（エンジン部６２がオフ）が解除される動作とを含む。さらに、第３の復帰動作とは、トナーカートリッジ２８の脱着の有無を判断するまでもなくトナー補給動作を必要としない動作を指す。具体的に、第３の復帰動作は、例えば、横扉が閉じられる動作と、省電力状態（エンジン部６２がオン）が解除される動作とを含む。
【００５８】
ステップＳ２３において、復帰動作が第１の復帰動作であると判断されると、ステップＳ２４に進み、第２または第３の復帰動作であると判断されると、処理が終了する。
【００５９】
ステップＳ２４では、図４のステップＳ１２と同様のトナー補給動作が行われた後、ステップＳ２５に進む。
【００６０】
ステップＳ２５では、図４のステップＳ１３と同様、トナーの補給が正常に行われたか否かが判断される。
【００６１】
ステップＳ２５において、トナーの補給が正常に行われたと判断されると、ステップＳ２６において、図４のステップＳ１４と同様、エンプティ記憶部９６においてトナーエンプティ状態の記憶が消去された後、処理が終了する。
【００６２】
ステップＳ２５において、トナーの補給が正常に行われなかったと判断されると、ステップＳ２７において、図４のステップＳ１５と同様、トナー補給装置８２の異常が検出された後、処理が終了する。
【００６３】
このように、第２の実施形態では、第１の実施形態と同様、暫定プリントモードがオンに設定されている場合、トナーの補給動作が行われず、ユーザーの待ち時間を短縮できる。また、暫定プリントモードがオフに設定されている場合であっても、ステップＳ２３において、復帰動作が第１の復帰動作であると判断されたときのみ、すなわち、トナーカートリッジ２８が交換されたと推定できるときのみ、トナー補給動作が行われるため、ユーザーの待ち時間短縮に一層貢献できる。
【００６４】
図６を参照しながら、全体制御部６０において復帰動作を具体的に判別する制御について説明する。
【００６５】
図６に示す制御は、エンジン部６２がオフになっている状態で復帰動作が行われる際、具体的には、主電源がオンにされるとき、副電源がオンにされるとき、又は省電力状態（エンジン部６２がオフ）が解除されるとき等に行われる。
【００６６】
まずステップＳ５１では、復帰動作に伴い、電力制御部９０の制御によりエンジン部６２へ電力が供給され、ステップＳ５２に進む。
【００６７】
ステップＳ５２では、具体的復帰動作判別部９２が、電力制御部９０から送信される信号に基づき、復帰動作が、主電源がオンにされる動作であるか否かが判断される。ステップＳ４２において、主電源がオンにされる動作であると判断されると、ステップＳ４３に進み、主電源がオンにされる動作ではないと判断されると、ステップＳ５４に進む。
【００６８】
ステップＳ５３では、具体的復帰動作判別部９２からエンジン制御部６４の復帰情報取得部１００へ、主電源オンによる復帰であるという情報が送信され、処理が終了する。
【００６９】
ステップＳ５４では、具体的復帰動作判別部９２が、電力制御部９０から送信される信号に基づき、復帰動作が、副電源がオンにされる動作であるか否かが判断される。ステップＳ５４において、副電源がオンにされる動作であると判断されると、ステップＳ５５に進み、副電源がオンにされる動作ではないと判断されると、ステップＳ５６に進む。
【００７０】
ステップＳ５５では、具体的復帰動作判別部９２からエンジン制御部６４の復帰情報取得部１００へ、副電源オンによる復帰であるという情報が送信され、処理が終了する。
【００７１】
ステップＳ５６では、具体的復帰動作判別部９２が、電力制御部９０から送信される信号に基づき、復帰動作が、省電力状態が解除される動作であるか否かが判断される。ステップＳ５６において、省電力状態が解除される動作であると判断されると、ステップＳ５７に進み、省電力状態が解除される動作ではないと判断されると、処理が終了する。
【００７２】
ステップＳ５７では、具体的復帰動作判別部９２からエンジン制御部６４の復帰情報取得部１００へ、省電力状態の解除による復帰であるという情報が送信され、処理が終了する。
【００７３】
［第３の実施形態］
図７を参照しながら、第３の実施形態に係るトナー補給制御について説明する。図７に示す制御は、第１の実施形態（図４）と同様、トナーエンプティ状態が検出されたことがエンプティ記憶部９６により記憶された状態で復帰動作が行われた後、トナー補給制御部１１２で行われる制御である。図７に示すトナー補給制御は、カラートナー（イエロートナー、マゼンタトナーまたはシアントナー）の現像装置１８に対してのみ行われ、ブラックトナーの現像装置に対しては行われない。
【００７４】
図７に示すように、まずステップＳ３１では、図４のステップＳ１１と同様、暫定プリントモード判断部１１８により、暫定プリントモードがオンに設定されているか否かが判断される。ステップＳ３１において、暫定プリントモードがオフに設定されていると判断されるとステップＳ３２に進み、暫定プリントモードがオンに設定されていると判断されると処理が終了する。
【００７５】
ステップＳ３２では、識別情報取得部１０２により、画像形成装置２に装着中のトナーカートリッジ２８の識別情報が取得され、ステップＳ３３に進む。
【００７６】
ステップＳ３３では、脱着判断部１０６の識別情報同一性判断部１１０により、復帰動作の前後で、トナーカートリッジ２８の識別情報が変化したか否かが判断される。具体的には、ステップＳ３３において識別情報取得部１０２により取得された識別情報が、復帰動作の前から識別情報記憶部１０４に記憶されていた識別情報に一致するか否かが判断される。
【００７７】
ステップＳ３３において、トナーカートリッジ２８の識別情報が変化したと判断されるとステップＳ３４に進み、トナーカートリッジ２８の識別情報が変化していないと判断されると処理が終了する。
【００７８】
ステップＳ３４では、図４のステップＳ１２と同様のトナー補給動作が行われた後、ステップＳ３５に進む。
【００７９】
ステップＳ３５では、図４のステップＳ１３と同様、トナーの補給が正常に行われたか否かが判断される。
【００８０】
ステップＳ３５において、トナーの補給が正常に行われたと判断されると、ステップＳ３６において、図４のステップＳ１４と同様、エンプティ記憶部９６においてトナーエンプティ状態の記憶が消去された後、処理が終了する。
【００８１】
ステップＳ３５において、トナーの補給が正常に行われなかったと判断されると、ステップＳ３７において、図４のステップＳ１５と同様、トナー補給装置８２の異常が検出された後、処理が終了する。
【００８２】
このように、第３の実施形態では、第１および第２の実施形態と同様、暫定プリントモードがオンに設定されている場合、トナーの補給動作が行われず、ユーザーの待ち時間を短縮できる。また、暫定プリントモードがオフに設定されている場合であっても、ステップＳ３３において、トナーカートリッジ２８の識別情報が変化したと判断されたときのみ、すなわち、トナーカートリッジ２８が交換されたときのみ、トナー補給動作が行われるため、ユーザーの待ち時間短縮に一層貢献できる。
【００８３】
［第４の実施形態］
図８を参照しながら、第４の実施形態に係るトナー補給制御について説明する。図８に示す制御は、第１の実施形態（図４）と同様、トナーエンプティ状態が検出されたことがエンプティ記憶部９６により記憶された状態で復帰動作が行われた後、トナー補給制御部１１２で行われる制御である。図８に示すトナー補給制御は、カラートナー（イエロートナー、マゼンタトナーまたはシアントナー）の現像装置１８に対してのみ行われ、ブラックトナーの現像装置に対しては行われない。
【００８４】
図８に示すように、まずステップＳ４１では、図４のステップＳ１１と同様、暫定プリントモード判断部１１８により、暫定プリントモードがオンに設定されているか否かが判断される。ステップＳ４１において、暫定プリントモードがオフに設定されていると判断されるとステップＳ４２に進み、暫定プリントモードがオンに設定されていると判断されると処理が終了する。
【００８５】
ステップＳ４２では、図５のステップＳ２２と同様、全体制御部６０の電力制御部９０から具体的復帰動作判別部９２を経由して送信される信号と、エンジン制御部６４の内部の信号とに基づき、復帰動作の情報が復帰情報取得部１００により取得される。全体制御部６０において復帰動作を具体的に判別する制御は、第２の実施形態と同様に行われる（図６）。
【００８６】
次のステップＳ４３では、脱着判断部１０６の復帰動作判断部１０８により、ステップＳ４２で取得された情報に基づき、復帰動作が第１の復帰動作であるか否かが判断される。ステップＳ４３において、第１の復帰動作であると判断されると、ステップＳ４４に進み、第１の復帰動作ではない（第２の復帰動作または第３の復帰動作である）と判断されると、処理が終了する。
【００８７】
ステップＳ４４では、識別情報取得部１０２により、画像形成装置２に装着中のトナーカートリッジ２８の識別情報が取得され、ステップＳ４５に進む。
【００８８】
ステップＳ４５では、図７のステップＳ３２と同様、脱着判断部１０６の識別情報同一性判断部１１０により、復帰動作の前後で、トナーカートリッジ２８の識別情報が変化したか否かが判断される。ステップＳ４５において、トナーカートリッジ２８の識別情報が変化したと判断されるとステップＳ４６に進み、トナーカートリッジ２８の識別情報が変化していないと判断されると処理が終了する。
【００８９】
ステップＳ４６では、図４のステップＳ１２と同様のトナー補給動作が行われた後、ステップＳ４７に進む。
【００９０】
ステップＳ４７では、図４のステップＳ１３と同様、トナーの補給が正常に行われたか否かが判断される。
【００９１】
ステップＳ４７において、トナーの補給が正常に行われたと判断されると、ステップＳ４８において、図４のステップＳ１４と同様、エンプティ記憶部９６においてトナーエンプティ状態の記憶が消去された後、処理が終了する。
【００９２】
ステップＳ４７において、トナーの補給が正常に行われなかったと判断されると、ステップＳ４９において、図４のステップＳ１５と同様、トナー補給装置８２の異常が検出された後、処理が終了する。
【００９３】
このように、第４の実施形態では、第１〜第３の実施形態と同様、暫定プリントモードがオンに設定されている場合、トナーの補給動作が行われず、ユーザーの待ち時間を短縮できる。また、暫定プリントモードがオフに設定されている場合であっても、ステップＳ４３において復帰動作が第１の復帰動作であると判断され、且つ、ステップＳ４５においてトナーカートリッジ２８の識別情報が変化したと判断されたときのみ、トナー補給動作が行われるため、ユーザーの待ち時間短縮に一層貢献できる。
【００９４】
以上、上述の実施形態を挙げて本発明を説明したが、本発明は上述の実施形態に限定されるものではない。
【図面の簡単な説明】
【００９５】
【図１】本発明に係る画像形成装置の概略構成を示す図である。
【図２】画像形成装置の電気的な構成を示すブロック図である。
【図３】エンジン制御部と全体制御部の構成を説明するための図である。
【図４】第１の実施形態に係るトナー補給制御の処理の流れを示すフローチャートである。
【図５】第２の実施形態に係るトナー補給制御の処理の流れを示すフローチャートである。
【図６】全体制御部において復帰動作を判別する制御の処理の流れを示すフローチャートである。
【図７】第３の実施形態に係るトナー補給制御の処理の流れを示すフローチャートである。
【図８】第４の実施形態に係るトナー補給制御の処理の流れを示すフローチャートである。
【図９】トナーカートリッジを示す斜視図である。
【符号の説明】
【００９６】
２：画像形成装置、３：作像部、４：感光体（静電潜像担持体）、１４：一次転写ローラ、１８：現像装置、２７：不揮発性メモリ（カートリッジ記憶部）、２８：トナーカートリッジ、３０：中間転写ベルト、３６：記録シート、４０：二次転写ローラ、４１：二次転写領域、６０：全体制御部、６２：エンジン部、６４：エンジン制御部、６８：不揮発性メモリ、８０：トナー濃度センサ（トナー量検出装置）、８２：トナー補給装置、９０：電力制御部、９２：具体的復帰動作判別部、９４：エンプティ検出部、９６：エンプティ記憶部、９８：プリント禁止部、１００：復帰情報取得部、１０２：識別情報取得部、１０４：識別情報記憶部、１０６：脱着判断部、１０８：復帰動作判断部、１１０：識別情報同一性判断部、１１２：トナー補給制御部、１１４：トナー補給エラー検出部、１１６：暫定プリントモード設定部、１１８：暫定プリントモード判断部。
【図１】
0005162987.tif 000002
【図２】
0005162987.tif 000003
【図３】
0005162987.tif 000004
【図４】
0005162987.tif 000005
【図５】
0005162987.tif 000006
【図６】
0005162987.tif 000007
【図７】
0005162987.tif 000008
【図８】
0005162987.tif 000009
【図９】
0005162987.tif 000010